【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
情報処理装置へ設定データを送信する通信装置であって、
前記情報処理装置と第１の通信方式を用いて無線通信するための情報を記憶する記憶手段と、
前記記憶手段に記憶されている前記情報に基づいて確立される無線通信を使用して前記設定データを送信するモードを設定する設定手段と、
前記設定手段によって前記モードが設定されている場合は、前記記憶手段に記憶されている前記情報に基づいて前記第１の通信方式を用いる無線通信を確立して、当該確立した無線通信を使用して前記設定データを送信し、前記設定手段によって前記モードが設定されていない場合は、前記情報処理装置と前記第１の通信方式を用いて無線通信するための情報を前記情報処理装置から新たに取得し、当該新たに取得した情報に基づいて前記第１の通信方式を用いる無線通信を確立して、当該確立した無線通信を使用して前記設定データを前記情報処理装置へ送信するよう制御する制御手段と、
を備えることを特徴とする通信装置。
【請求項２】
撮像手段と、
前記情報処理装置に表示されるバーコードを前記撮像手段により撮像して得られた画像に基づいて、前記情報処理装置と前記第１の通信方式を用いて無線通信するための前記情報を取得する取得手段と、を更に備え、
前記制御手段は、前記設定手段によって前記モードが設定されていない場合には、前記取得手段により前記情報処理装置から前記情報を取得する
ことを特徴とする請求項１に記載の通信装置。
【請求項３】
前記バーコードは２次元コードである
ことを特徴とする請求項２に記載の通信装置。
【請求項４】
前記第１の通信方式よりも通信速度が低速な第２の通信方式を用いる無線通信により、前記情報処理装置から、前記第１の通信方式を用いて無線通信するための前記情報を取得する取得手段を更に備え、
前記制御手段は、前記設定手段によって前記モードが設定されていない場合には、前記取得手段により前記情報処理装置から前記情報を取得する
ことを特徴とする請求項１に記載の通信装置。
【請求項５】
前記第１の通信方式は、無線ＬＡＮ方式であり、
前記第２の通信方式は、ＮＦＣ（Ｎｅａｒ  Ｆｉｅｌｄ  Ｃｏｍｍｕｎｉｃａｔｉｏｎ）方式、Ｂｌｕｅｔｏｏｔｈ（登録商標）方式またはＢＬＥ（Ｂｌｕｅｔｏｏｔｈ  Ｌｏｗ  Ｅｎｅｒｇｙ）方式である
ことを特徴とする請求項４に記載の通信装置。
【請求項６】
前記制御手段は、前記記憶手段に前記情報が記憶されていない場合は、前記設定手段により前記モードが設定されているか否かによらず、前記情報処理装置から前記情報を新たに取得し、当該新たに取得した情報に基づいて前記第１の通信方式を用いる無線通信を確立して、当該確立した無線通信を使用して前記設定データを前記情報処理装置へ送信するように制御する
ことを特徴とする請求項１から５のいずれか１項に記載の通信装置。
【請求項７】
前記設定データは、原稿をスキャンして得られた画像を外部に送信する送信機能で使用する電子メールアドレスである
ことを特徴とする請求項１から６のいずれか１項に記載の通信装置。
【請求項８】
前記設定データには、更に、前記電子メールアドレスへの送信を行う際に使用するメールの件名および本文の少なくともいずれかが設定可能である
ことを特徴とする請求項７に記載の通信装置。
【請求項９】
情報処理装置へ設定データを送信する通信装置の制御方法であって、
前記情報処理装置との間で第１の通信方式を用いて無線通信するための情報を記憶部に記憶する記憶工程と、
前記記憶部に記憶されている前記情報に基づいて確立される無線通信を使用して前記設定データを送信するモードを設定する設定工程と、
前記設定工程で前記モードが設定されている場合は、前記記憶部に記憶されている前記情報に基づいて前記第１の通信方式を用いる無線通信を確立して、当該確立した無線通信を使用して前記設定データを送信し、前記設定工程で前記モードが設定されていない場合は、前記情報処理装置と前記第１の通信方式を用いて無線通信するための情報を前記情報処理装置から新たに取得し、当該新たに取得した情報に基づいて前記第１の通信方式を用いる無線通信を確立して、当該確立した無線通信を使用して前記設定データを前記情報処理装置へ送信するよう制御する制御工程と、
を含むことを特徴とする通信装置の制御方法。
【請求項１０】
請求項９に記載の通信装置の制御方法の各工程をコンピュータに実行させるためのプログラム。
【手続補正２】
【補正対象書類名】明細書
【補正対象項目名】０００８
【補正方法】変更
【補正の内容】
【０００８】
本発明は、例えば、通信装置として実現できる。本発明の一態様に係る通信装置は、情報処理装置へ設定データを送信する通信装置であって、前記情報処理装置と第１の通信方式を用いて無線通信するための情報を記憶する記憶手段と、前記記憶手段に記憶されている前記情報に基づいて確立される無線通信を使用して前記設定データを送信するモードを設定する設定手段と、前記設定手段によって前記モードが設定されている場合は、前記記憶手段に記憶されている前記情報に基づいて前記第１の通信方式を用いる無線通信を確立して、当該確立した無線通信を使用して前記設定データを送信し、前記設定手段によって前記モードが設定されていない場合は、前記情報処理装置と前記第１の通信方式を用いて無線通信するための情報を前記情報処理装置から新たに取得し、当該新たに取得した情報に基づいて前記第１の通信方式を用いる無線通信を確立して、当該確立した無線通信を使用して前記設定データを前記情報処理装置へ送信するよう制御する制御手段と、を備えることを特徴とする。
【手続補正３】
【補正対象書類名】明細書
【補正対象項目名】００２３
【補正方法】変更
【補正の内容】
【００２３】
カメラ３０６は、ユーザの撮像指示に従って被写体を撮像して画像データを生成する。カメラ３０６によって生成された画像データは、ＨＤＤ３０４の所定の記憶領域に格納される。ＮＦＣ Ｉ／Ｆ３０７、ＢＴ Ｉ／Ｆ３０８及びＷＬＡＮ Ｉ／Ｆ３０９は、それぞれＮＦＣ通信、ＢＴ通信（ＢＬＥ通信を含む。）及びＷＬＡＮ通信を行う無線通信モジュールである。モバイル端末１０１は、ＮＦＣ Ｉ／Ｆ３０７、ＢＴ Ｉ／Ｆ３０８またはＷＬＡＮ Ｉ／Ｆ３０９を介して、ＭＦＰ１０２等の外部装置との間でデータの送受信を行うことが可能である。
【手続補正４】
【補正対象書類名】明細書
【補正対象項目名】００５２
【補正方法】変更
【補正の内容】
【００５２】
＜モバイル端末における処理手順＞
モバイル端末１０１では、通信先のデバイスとして設定されたＭＦＰから、ＷＬＡＮ方式で当該ＭＦＰに無線接続するための接続情報が取得されると、取得された接続情報が、当該ＭＦＰと対応付けてＨＤＤ３０４に格納される。これにより、モバイル端末１０１は、ＭＦＰへの設定データの送信が完了し、当該ＭＦＰとの間の無線接続を切断した後も、接続情報を保持し続ける。
【手続補正５】
【補正対象書類名】明細書
【補正対象項目名】００５３
【補正方法】変更
【補正の内容】
【００５３】
モバイルアプリケーション（ＣＰＵ３０１）は、図４乃至図６を参照して説明したように、ユーザの指示に従って、モバイル端末１０１が有する設定データの送信先となるＭＦＰを決定する。送信先として決定された特定のＭＦＰ（以下では、ＭＦＰ１０２とする。）対して送信データを送信するために、ＣＰＵ３０１は、ＭＦＰ１０２に対応する接続情報を用いて、ＷＬＡＮ方式でＭＦＰ１０２に無線接続する。その際、ＣＰＵ３０１は、ＭＦＰ１０２に対応する接続情報がＨＤＤ３０４に格納されていない場合には、ＭＦＰ１０２から接続情報を取得して使用する。一方、ＣＰＵ３０１は、ＭＦＰ１０２に対応する接続情報がＨＤＤ３０４に格納されている場合には、ＭＦＰ１０２から接続情報を取得せずに、ＨＤＤ３０４に格納されている接続情報を使用する。このようにしてＭＦＰ１０２との間で無線接続が確立されると、ＣＰＵ３０１は、ＭＦＰ１０２へＷＬＡＮ通信で設定データを送信する。
【手続補正６】
【補正対象書類名】明細書
【補正対象項目名】００５８
【補正方法】変更
【補正の内容】
【００５８】
Ｓ１０２で、ＣＰＵ３０１は、操作画面４２０（図５（Ａ））を用いて通信先のデバイスとして設定されたＭＦＰ（以下では、ＭＦＰ１０２とする。）に対応する接続情報を保持しているか否かを判定する。即ち、ＣＰＵ３０１は、ＭＦＰ１０２に対応する接続情報がＨＤＤ３０４に格納されているか否かを判定する。ＣＰＵ３０１は、ＭＦＰ１０２に対応する接続情報を保持していない場合には処理をＳ１０３へ進め、保持している場合には処理をＳ１０９へ進める。なお上述のように、接続情報には、ＭＦＰ１０２にＷＬＡＮ方式で無線接続するためのＳＳＩＤ及びＫＥＹと、ＭＦＰ１０２のＩＰアドレスとが少なくとも含まれる。
【手続補正７】
【補正対象書類名】明細書
【補正対象項目名】００６２
【補正方法】変更
【補正の内容】
【００６２】
Ｓ１０４からＳ１０５へ処理を進めた場合、ＣＰＵ３０１は、Ｓ１０４で取得した接続情報（ＳＳＩＤ及びＫＥＹ）を用いて、ＷＬＡＮ方式でＭＦＰ１０２に無線接続する。一方、Ｓ１０９からＳ１０５へ処理を進めた場合、ＣＰＵ３０１は、既に保持している（ＨＤＤ３０４に格納されている）接続情報（ＳＳＩＤ及びＫＥＹ）を用いて、ＷＬＡＮ方式でＭＦＰ１０２に無線接続する。これにより、モバイル端末１０１とＭＦＰ１０２との間にＷＬＡＮ通信が確立され、モバイル端末１０１は、接続情報に含まれる、ＭＦＰ１０２のＩＰアドレスを用いて、ＭＦＰ１０２と通信を行うことが可能になる。なお、接続モードが「ＮＦＣ」に設定されている場合には、Ｓ１０５では、ＮＦＣ通信からＷＬＡＮ通信へのハンドオーバーが行われることになる。
【手続補正８】
【補正対象書類名】明細書
【補正対象項目名】００６４
【補正方法】変更
【補正の内容】
【００６４】
Ｓ１０６における設定データの送信が完了すると、次にＳ１０７で、ＣＰＵ３０１は、Ｓ１０５で使用した、ＭＦＰ１０２に対応する接続情報が既に保存されているか（ＨＤＤ３０４に格納されているか）否かを判定する。ＣＰＵ３０１は、接続情報が既に保存されていると判定した場合には処理を終了し、保存されていないと判定した場合には処理をＳ１０８へ進める。Ｓ１０８で、ＣＰＵ３０１は、Ｓ１０５で使用した、ＭＦＰ１０２に対応する接続情報をＨＤＤ３０４に保存し、処理を終了する。
【手続補正９】
【補正対象書類名】明細書
【補正対象項目名】００６９
【補正方法】変更
【補正の内容】
【００６９】
次にＳ２０３で、ＣＰＵ２０１は、モバイル端末１０１からのＷＬＡＮ通信によるデータ受信が、初回の受信であるか否かを判定する。具体的には、ＣＰＵ２０１は、データ受信を行ったＷＬＡＮ通信の通信セッションについてのセッションＩＤをＲＯＭ２０２に保存しておく。これにより、ＣＰＵ２０１は、設定データの受信時に、対応するセッションＩＤがＲＯＭ２０２に既に保存されているかを確認することによって、Ｓ２０３の判定を行う。なお、ＲＯＭ２０２に保存したセッションＩＤは、送信ジョブの完了時に消去される。Ｓ２０３で、ＣＰＵ２０１は、モバイル端末１０１からのデータ受信が初回の受信である場合には処理をＳ２０４へ進め、初回の受信ではない場合には処理をＳ３０６へ進める。